(57)【要約】【課題】機能を多元化したＬＥＤ照明具を提供する。【解決手段】本考案の機能を多元化したＬＥＤ照明具は、ランプソケット、光源部材、導光体、ランプハウジング等を主要部材から組成され、光源部材は、複数個のＬＥＤを基板に設置し、導熱媒介でランプソケットに接着し、ランプソケットが光源部材の動作温度を伝導発散し、光源部材の出光箇所に透明状を呈する導光を設置し、光源の導引および光度の向上に用い、ランプハウジングで導光体および光源部材の外部を覆う。ＬＥＤの低電力消耗、長い使用寿命および高発光効率等の特長を良好な冷却効果を有する部材とあわせ、省電力、高性能な照明具を達成する。【選択図】図９
0003135001.tif 000002
【実用新案登録請求の範囲】
【請求項１】
ソケット体状に形成され、その外部には冷却体が形成され、内部に収容空間を設けてなるランプソケットと、
複数のＬＥＤを基板に設置し、導熱媒介をランプソケットの収容空間内に設置してなる光源部材と、
導光体であって、透明態様を呈し、照明具の出光方式に合わせて特定の形態を形成し、導光体の入光面を光源部材の出光箇所に配置した導光体と、
ハウジング体状であり、導光管の外部に設置し、ランプソケットを固定するランプハウジングと
を含む機能を多元化したＬＥＤ照明具。
【請求項２】
前記冷却体がランプソケットに一体に形成されてなる請求項１記載の機能を多元化したＬＥＤ照明具。
【請求項３】
前記冷却体が各部材として製造され、ランプソケットに結合してなる請求項１記載の機能を多元化したＬＥＤ照明具。
【請求項４】
前記導光体の導光面に反射片を設置してなる請求項１記載の機能を多元化したＬＥＤ照明具。
【請求項５】
前記ＬＥＤ照明具の出光面に拡散片を設置してなる請求項１記載の機能を多元化したＬＥＤ照明具。
【請求項６】
前記ＬＥＤ照明具の出光面にプリズム片を設置してなる請求項１記載の機能を多元化したＬＥＤ照明具。
【請求項７】
前記ＬＥＤ照明具の出光面に光学シートを設置してなる請求項１記載の機能を多元化したＬＥＤ照明具。
【請求項８】
前記ＬＥＤ照明具の出光面に有色片を設置してなる請求項１記載の機能を多元化したＬＥＤ照明具。
【請求項９】
前記ＬＥＤ照明具がランプソケット、光源部材、拡散片およびプリズム片だけを含む請求項１記載の機能を多元化したＬＥＤ照明具。
【請求項１０】
前記ＬＥＤ照明具がランプソケット、光源部材、拡散片だけを含む請求項１記載の機能を多元化したＬＥＤ照明具。
【請求項１１】
前記ＬＥＤ照明具がランプソケット、光源部材、プリズム片だけを含む請求項１記載の機能を多元化したＬＥＤ照明具。
【請求項１２】
前記ＬＥＤ照明具がランプソケット、光源部材、光学シートだけを含む請求項１記載の機能を多元化したＬＥＤ照明具。
【請求項１３】
前記ＬＥＤ照明具がランプソケット、光源部材、有色片だけを含む請求項１記載の機能を多元化したＬＥＤ照明具。
【考案の詳細な説明】
【技術分野】
【０００１】
本考案は、機能を多元化したＬＥＤ照明具に関し、特に、ＬＥＤ光源を利用し良好な冷却効果を有するランプソケット等の部材を合わせ、省電力・高効率を具備するＬＥＤ照明具に関する。
【背景技術】
【０００２】
ランプ管、電球等のような従来の照明具は、大衆に幅広く使用されているが、多くの改善すべき箇所を有しており、例えば、従来の照明具の仕事効率は普遍的に１００％に達することはできず、簡単に述べれば、該従来の照明具は発光時、容易に過度に電力消耗する状況が発生し、長期使用時に想定外のコスト負担となる。また、従来のランプの消耗損傷率が高く、使用寿命が短い等の欠陥があり、更に修理および交換のコストが明らかに大幅に向上される。また、従来の照明具は、製造過程において、その成分が例えば、水銀、鉛等の重金属物質を添加し、環境に対する汚染問題を発生させ易く、近年の各業界が提唱する環境概念に適合していない。
【特許文献１】特開２００２−３２９４０４号公報
【考案の開示】
【考案が解決しようとする課題】
【０００３】
本考案の目的は、省電力および高効率な機能を多元化したＬＥＤ照明具を提供することである。
【課題を解決するための手段】
【０００４】
上記の目的に基づき、本考案が記載する機能を多元化したＬＥＤ照明具はランプソケット、光源部材、導光体およびランプハウジング等の構成部材から組成される。ランプソケットは、導熱性が良好な材質から製成され、台座体を形成する場合、ランプソケットの外側表面が大量の冷却用の冷却体を形成し、ランプソケット内側には収容空間を形成する。光源部材が複数のＬＥＤを半田方式でアルミ基板（ＡＬＰＣＢ）またはプリント回路板（ＰＣＢ）の周縁に粘着し、導熱媒介により該光源部材を台座の収容空間の適切な箇所に粘着定位する；光源部材の出光箇所には、透明状の導光体を設置する；ランプハウジングはランプソケットの外形に合わせて導光管および光源部材外部を覆いランプソケットに固定される。
【考案の効果】
【０００５】
本考案の機能を多元化したＬＥＤ照明具は、ＬＥＤにより照明光源を発生し、導光体を通してＬＥＤの光線を進行方向に導引し光度を向上させる；同時にＬＥＤ発光が発生する動作温度が導熱媒介を通して熱量をランプソケットに送り外部に伝導発散する；ＬＥＤの低電力消耗、長い使用寿命および高発光効率等の特長によって、省電力、高効率の照明具を達成する。
【考案を実施するための最良の形態】
【０００６】
図１および図２は、本考案の機能を多元化したＬＥＤ照明具の第１実施例の立体分解図およびランプソケットの背面図である。
【０００７】
図から分かるように、第１実施例は台座１、光源部材３、導光板５００、反射片５１０、拡散片５２０およびランプハウジング６等の構成部材から組成される。
【０００８】
該ランプソケットはアルミまたはアルミ合金、銅または銅合金、金、または金合金、またはプラスチック、木材、陶器、炭、グラファイト、炭繊維、耐熱ガラスまたはガラス繊維、テフロン（登録商標）等の材質、またはテフロン（登録商標）を金属（グラファイト、アルミ、金、銅等）に添加し、その材質の特性を増加したテフロン（登録商標）グラファイト、テフロン（登録商標）アルミ、テフロン（登録商標）銅等の導熱性が良好な材質から形成され、射出、圧力鋳造またはプレス加工等を採用し成型方式で製造され、板状枠体形態の台座体を形成し、ランプソケット１の外側および後側には大容量冷却用のフィン１１および冷却粒子１２を形成し、該フィン１１および冷却粒子１２外縁の形状は、四角形、円形、尖形状等の多種の様式で形成でき、該冷却体はランプソケットと一体に成型製造するか、または各部材を形成しランプソケット１に結合することができ、ランプソケット１内側には収容空間１０を形成し、ランプソケット１の後ろ側には、収容溝１３を設置し、プリント回路板およびそれが含むＩＣチップおよび被動部材（整流回路チップ等）を収容することに用いることができる。光源部材３は複数の低/中/高効率のＬＥＤ３０を半田方式で基板３１上に粘着設置してなり、該基板３１はプリント回路板またはアルミ板（ＡＬＰＣＢ）であることができ、さらに導熱媒介（導熱クリーム、導熱シリカゲルまたは導熱テープ、導熱マット等）を利用し、光源部材３を台座１の収容空間１０の適切な位置に粘着固定する。該基板３１は、同ランプソケット１が通常選択するアルミまたはアルミ合金、銅または銅合金、金、または金合金、またはプラスチック、木材、陶器、炭、グラファイト、炭繊維、耐熱ガラスまたはガラス繊維、テフロン（登録商標）等の導熱性の良好な材質から形成され、また、該基板３１はランプソケット１と直接一体に成型して形成されることもできる。導光板５００は、透明体上の導光体であり、導光板５００側端に形成する入光面には、光源部材の出光箇所を設置し、入光面ではないその他の端辺には、不透明状で形成し、コの字型または長板型の反射板５４０を貼り付け、導光板５００内側の導光面（反射面）５１０は、射出、熱プレスまたはプリント等の成型方式を採用し、形成される溝状歯面または複数個の光学ドットから形成される光学ドット面５１０であり、反射片５３０を貼り付けてなる。導光板５００外側の導光面（出光面）５２０は、射出、熱プレスまたはプリント等の成型方式を採用し、形成される溝状歯面または複数個の光学ドットから形成される平滑面５２０であり、拡散片５５０を貼り付けてなるものを本実施例の照明具の出光面とする。ランプハウジングは、台座１外形に合わせて、角型ハウジング状に形成し、光源部材３および導光板５００の外部を包み、ランプソケット１に設置固定される。
【０００９】
第１実施例は光源部材３のＬＥＤ３０を利用し照明光源を発生し、導光板５００およびその側面に設置される反射片５３０および拡散片５５０を通して、光源の進行方向を導引し、その照明の光度を向上させることに用い、照明具の効果を達成する。本考案は、照明の要求に基づき、拡散片５５０外側にプリズム片５６０を添加し、光線の透過率を向上させることができる。照明具出光面の一側にＰＶＣまたはＰＥＴまたはＰＭＭＡの材質の光学シートまたは有色片を増設し、光源部材３の出光光度および色度を調整することに用いる。ランプソケット１外側および後ろ側表面に形成されるフィン１１および冷却粒子１２はランプソケット１の冷却面積を形成し、ＬＥＤ３０が高温動作温度を発生する時、導熱クリーム、導熱テープ等の導熱媒体を通して迅速且つ効率的に熱量を台座１に伝導し、外部に導出発散し、光源部材３に良好な冷却経路を提供する。
【００１０】
図３、図４および図５に示すように、第１実施例の空間的設置において、直接に単一として設置した照明具であり、デスクランプ、壁ランプ等、通常照明具として使用できる。また、図３のように、複数組の照明具を平面配列方式で配列し広範囲な出光面を形成し、広範囲な空間の主要な照明に応用し、リビング、オフィスまたは教室などの天井照明に使用できる。また、図４および図５に示すように、複数組の照明具を直立状に環を囲むように設置し該照明具の出光面を外に向け、照明具の光源を多方向に向け照射させ、歩道照明または芸術装飾照明等に応用できる。
【００１１】
図６および図７に示すように、第１実施例が応用において、多様な変化および実施を有することができる。例えば該光源部材３は、単一で設置され、平常必要な照明光度を発生でき、広範囲に各種照明および指示照明具に応用できる。但し、該光源部材３は、必要に応じて多重に設置することもでき、図６に示すように、該ランプソケット１の収容空間１０内に２組以上の光源部材３を設置してなり、このように更に高光度の照明を提供できる。また、２組以上の異なる波長のＬＥＤ３０から組成される光源部材３を選択して用いることで、本考案が調整器を利用し異なる波長の光源部材を切り替えることができるようになる。複数組の光源部材の設置が消耗効率および動作温度を増加させるため、図７に示すように、２組以上のランプソケット１を折り畳んで設置し、２組のランプソケット１の間に熱交換空間を残し、該ランプソケット１の冷却効果を向上させることに用いる。２組のランプソケット１の間にファン８または導熱管を設置し、強制的熱交換を行うことに用い、試験を通して、表面積３８０００ｍｍ２のランプソケット上に０〜６ワットの消費電力および熱量を受けることができ、ファン８を加えた後、０〜１２ワットの消費電力および熱量を受けることができる。更に導熱管をファン８に加えた場合、０〜２４ワットの消費電力および熱量を受けることができ、大幅に効果を向上させることができる。
【００１２】
図８は、本考案の多元化機能のＬＥＤ照明具の第２実施例の立体分解図である。
【００１３】
本考案は、体積またはコストに基づいて考慮し、ランプソケットおよび光源部材だけで組成し、必要に応じて適度に拡散片およびプリズム片を添加し、その出光を調整する。図に示すように、本考案は、長型のアルミ板台体をランプソケット４とし、光源部材３を導熱シリカゲル３３で台座４上に接着し、光源部材３外部にプリズム片５６２を設置し、同時に導熱シリカゲル３３によりランプソケット４をガラス上に接着し、ガラスを利用し導熱を加速し、この特性に基づき、ＬＥＤ動作電流を向上しその光度を増加させ、同時に高電流駆動による加熱状況を発生させることがない。この方式が商品展示ガラスケースの照明に用いることができ、ガラス展示ケースが必要な光度を簡単に達成し、且つガラスケースの温度を上昇させることがなく、ガラスケース内の展示品の品質を維持し、ランプ管または蛍光灯等を有する照明具に置き換え、それが占有するガラスケースの面積を利用し更に多くの商品を展示することができる。
【００１４】
図９は、本考案の機能を多元化するＬＥＤ照明具の第３実施例の立体分解図であり、本考案の主要な代表図である。
【００１５】
図から分かるように、第３実施例のランプソケット２は、導熱性が極めて良好な材質で射出、圧力鋳造またはプレス等の成型方式で製造され、ロート状のソケット体として形成され、その漏れ口部位は、Ｅ２７通用のランプヘッド９を設置し、ランプソケット２の外側は多層状凹凸体２１またはフィン等の冷却体を形成し、該冷却体は、ランプソケット２と一体に成型して製造されるかまたは、各部材として製造され、ランプソケット３に結合され、ランプソケット２内側には収容空間が形成される。光源部材３は複数のＬＥＤ３０を半田方式で基板３１周縁に粘着し更に導熱媒介を利用し光源部材３をランプソケット２の収容空間２０の適切な位置に接着固定し、基板３１中央箇所に整流回路チップ３２およびその他の被動部材を設置し、該基板３１は、ランプソケット２と直接一体に成型され製造されることもできる。導光管５０１は、透明管状の導光体であり、導光管５０１の一側の管面端には入光面が形成され、光源部材３の出光箇所に設置され、入光面ではない管面には円形を呈する反射板５４１が貼り付けられ、導光管５０１内側の導光面（反射面）５１１には射出、熱プレスまたはプリント等の成型方式を採用して溝状を有する歯面または光学ドット面５１１が形成され、筒状を呈する反射片５３１を貼り付けてなる。導光管５０１外側の導光面（出光面）５２１には、射出、熱プレスまたはプリント等の成型方式を採用して溝状を有する歯面または光学ドット面が加工形成され、平滑面５２１としてなり、筒状を呈する拡散片５５１を貼り付けてなり、本実施例の照明具の出光面としてなる。ランプハウジング７は、ランプソケット２外形に合わせてハウジング状に形成され、光源部材３および導光管５０１の外部を覆い、ランプソケット２に設置固定される。
【００１６】
第３実施例は、ランプソケット２に漏れ口状箇所にＥ系列通用ランプヘッド９を設け、接電部位とし、該部材は２ＰＩＮコンセントを採用して設置するかまたは直接接線方式で節電部位とすることもできる。第３実施例は整流回路チップ３２を利用し、外部電源を直流電源に変換し、光源部材３のＬＥＤ３０に提供し、照明光源を発生させ、光源部材３の出光箇所に通される導光管５０１および導光管内外側面に設置される反射片５３１、拡散片５５１が光源の進行方向の導引および照明光度の調整に用いられ、照明具効果を達成する。更に、本考案は、照明具の照明要求に基づき、拡散片５５１の外側面にプリズム片５６１を添加でき、照明の透過率を向上できる。また、照明具の出光面一側にＰＶＣまたはＰＥＴまたはＰＭＭＡの材質の光学シートまたは有色片を増設し、光源部材の照明光度および色度を調整できる。ランプソケット２外部表面に多層状凹溝体２１またはフィン等の冷却体を形成し、ランプソケット２の冷却面積を増加し、ＬＥＤ動作温度の導熱および冷却速度の増加に用いる。
【００１７】
図９、図１０および図１１を同時に参照し、該導光管５０１は、管内側に形成されるドット面５１１および外側の平滑面５２１を通して、管口面に設置される反射板５４１および管内側に設置される反射片５３１および管外側に設置される拡散片５５１およびプリズム片５３１と合わせて、該光源部材３の光線方向を導引し、その光度を増加し、光源部材３の出光方向を導光管５０１の環側面から周囲に発射させるようにする。但し、図１０に示すように、該導光管５０１は、管内側面に平滑面（出光面）５２１を形成し、外側面はドット面（反射面）５１１を形成するよう変更でき、導光管に設置される円型反射板５４１を外し、同時に導光管外側に反射片５３１を設置し、導光管内側に拡散片５５１およびプリズム片５６１を設置するように変更し、光源構造３の出光方向を集中させ導光管の単一側管面に集中した光線を発射させることができ、異なる環境および状況に対応させることができる。また、該導光管５０１は、図１１から分かるように、実心の柱体状であり、反射片および拡散片を設置することができず、光源構造の光線を直接外部には出光該柱体状導光管の内部は、気泡上または模様状を形成するかまたは導光管外部に張り紙を貼り付け、装飾した柱体照明に応用することができる。
【００１８】
本考案は、ＬＥＤを光源部材の出光体として選択し、ＬＥＤが有する多くの優位な特性に基づく：高発光効率および低電力消耗であり、同一な照度の下、ＬＥＤの消耗電力は従来の照明具の１／２から１／１０であり、電力消耗が従来のランプ管および電球よりも少ない。また、ＬＥＤの使用寿命は５００００時間に達し、従来の照明具に比較し、ＬＥＤ照明の使用が効率的に照明の修理および交換のコストを低減できる。更に、ＬＥＤは従来のランプ管または電球が含む鉛、水銀等の金属物質を含まず、重金属による環境汚染問題を引き起こすことが無く、使用上、従来の照明具より更に環境保全の効果を有する。
【００１９】
上記３つの実施例から分かるように、本考案のランプソケットおよび導光体およびその他の関連部材は、使用必要および応用分野に応じて異なり、外形、サイズは任意であり、例えば、四角形、板状、錘形等の多種の様態であることができる。本考案は、ＬＥＤで照明光源を発生し、導光体を通して光線を効率的に導引および光度を増強し、良好な導熱効果を有するランプソケットを合わせてＬＥＤの冷却を補助し、更に、ランプハウジングを光源および導光体等の部材の保護とし、ＬＥＤの優良な特長によって、省電力、光度充足および高効率の照明器具を達成し、本考案が各種照明および指示照明具に幅広く応用でき、例えば、デスクランプ、またはスタンドランプ、天井照明であり、柔らかな充足した照明を提供する。または、車体に設置し、車内照明またはブレーキランプ、方向支持ランプとしてなる。または街灯、公告照明、芸術照明、水族照明等の照明装飾に運用し、照明および美観の効果を提供し、用途は極めて多い。
【００２０】
以上の構造の組成により、本考案の機能を多元化したＬＥＤ照明具は以下の長所を有する：
１． 本考案は、多種形式および態様であることができ、市場の需要に従い、各種照明、装飾および指示ランプに幅広く応用し、用途が広く、且つ高効率であり、完全に従来の照明具に置き換えることができる。
２． 本考案は、ＬＥＤを照明光源とし、ＬＥＤの低電力消費、長い使用寿命および高発光効率等の優位な特性を備え、同時に導熱効果の良好なランプソケット等構造と合わせＬＥＤの動作温度の効率的発散を補助し、使用上の省エネ、省電力、交換コストの低減および照明効率の向上等の効果を兼ね備える。
３． 本考案は、ＬＥＤを照明光源とし、従来の照明具が含む鉛、水銀等の金属物質を含まず、重金属による環境汚染問題を引き起こすことが無く、使用上、従来の照明具より更に環境保全の効果を有する。
【図面の簡単な説明】
【００２１】
【図１】本考案の第１実施例の立体分解図である。
【図２】本考案の第１実施例のランプソケットの背面図である。
【図３】本考案の第１実施例の配列方法の説明図である。
【図４】本考案の第１実施例の配列方法の俯瞰図である。
【図５】本考案の第１実施例の配列方法の前面図である。
【図６】本考案の第１実施例の光源部材の多重設置の説明図である。
【図７】本考案の第１実施例のランプソケットの折り畳み設置の説明図である。
【図８】本考案の第２実施例の立体分解図である。
【図９】本考案の第３実施例の立体分解図および設置説明図１である。
【図１０】本考案の第３実施例の設置説明図２である。
【図１１】本考案の第３実施例の設置説明図３立体分解図である。
【符号の説明】
【００２２】
１，２，４ ランプソケット
１０，２０ 収容空間
１１ フィン
１２ 冷却粒子
１３ 収容溝
２１ 多層状凹凸体
３ 光源部材
３０ ＬＥＤ
３１ 基板
３２ 整流回路チップ
３３ 導熱シリカゲル
５００ 導光体（板）
５０１ 導光体（管）
５１０，５１１ ドット面
５２０，５２１ 平滑面
５３０，５３１ 反射片
５４０，５４１ 反射板
５５０，５５１ 拡散片
５６０，５６１，５６２ プリズム片
６，７ ランプハウジング
８ ファン
９ ランプヘッド
【図１】
0003135001.tif 000003
【図２】
0003135001.tif 000004
【図３】
0003135001.tif 000005
【図４】
0003135001.tif 000006
【図５】
0003135001.tif 000007
【図６】
0003135001.tif 000008
【図７】
0003135001.tif 000009
【図８】
0003135001.tif 000010
【図９】
0003135001.tif 000011
【図１０】
0003135001.tif 000012
【図１１】
0003135001.tif 000013